(57)【特許請求の範囲】
【請求項１】
複層ガラスを保持枠に取り付けてなる複層ガラス障子において、複層ガラスは、短寸板ガラスと長寸板ガラスがその周辺部に配されているスペーサを介在して、かつ、スペーサの外部側に長寸板ガラスが短寸板ガラスに対して突出板ガラス部分を有するようにして配置されて空気層が形成され、前記保持枠は、短寸板ガラスに面一になるように形成された面保護部と、長寸板ガラスの端面に連なって形成される第１端面に接着されていて面保護部に垂直方向に形成されている端保護部と、複層ガラスを保持している保持部とを有してなり、前記保持部は、突出板ガラス部分の保持枠側である突出板ガラス部分内面に接着されている面保持部と、短寸板ガラスの端面に連なりスペーサの外部側に形成される第２端面に接着されていて前記面保持部に垂直方向に形成されている端保持部とを有し、前記保持枠は、金属製からなる裏部材と合成樹脂かならる表面部材とからなり、裏部材は、前記面保持部と、前記端保持部を有してなり、表面部材は、前記面保護部と、前記端保護部を有することを特徴とする複層ガラス障子。
【請求項２】
前記保持枠は、裏部材と表面部材とからなり、表面部材は裏部材に一体成形されている請求項１の複層ガラス障子。
【請求項３】
前記保持枠は、裏部材と表面部材とからなり、裏部材は、前記面保持部と、前記端保持部と、前記面保護部と、溝形成部とを有してなり、表面部材は、前記端保護部と、裏部材の前記溝形成部の形状に対応した形状の溝形成部とを有してなる請求項１または２の複層ガラス障子。
【請求項４】
前記複層ガラスは、１枚の短寸板ガラスと２枚の長寸板ガラスが、その周辺部に配されている各々のスペーサを介在して、かつ、短寸板ガラスと中央に配された長寸板ガラスとにより挟持されるスペーサの外側部に、長寸板ガラスが短寸板ガラスに対して突出板ガラス部分を有するようにして配置されて空気層が形成されてなる請求項１、２または３の複層ガラス障子。
【請求項５】
前記複層ガラスは、２枚の短寸板ガラスと１枚の長寸板ガラスが、その周辺部に配されている各々のスペーサを介在して、かつ、長寸板ガラスと中央に配された短寸板ガラスとにより挟持されるスペーサの外側部に、長寸板ガラスが短寸板ガラスに対して突出板ガラス部分を有するようにして配置されて空気層が形成されてなる１、２または３の複層ガラス障子。
【請求項６】
請求項１または２の複層ガラス障子を開閉金物により外枠に取り付けてなる回転窓であって、開閉金物は、外枠側取付け部と、障子側取付け部と、外枠側取付け部及び障子側取付け部に対して回動可能なアーム部とを有してなり、外枠側取付け部は外枠に止着材で止着され、障子側取付け部は複層ガラス障子に止着材で止着されていることを特徴とする回転窓。
【請求項７】
請求項３の複層ガラス障子を窓枠に嵌めてなるスライド窓であって、窓枠が複層ガラス障子の溝形成部に対応する突起を有することを特徴とするスライド窓。
【発明の詳細な説明】
【０００１】
【発明の属する技術分野】
本発明は複層ガラス障子と回転窓とスライド窓に関する。
【０００２】
【従来の技術】
複層ガラスをグレージングする方法としては、複層ガラスを框に呑みこませて、グレージングチャンネル又はシール材で固定する方法が一般的である。
【０００３】
図１８は前者の例であり、框７２に複層ガラス７１がグレージングチャンネル７３により固定されている。図１９は後者の例であり、框７２に複層ガラス７１がバックアップ材７４、７４でその両側面を支持され、バックアップ材７４、７４の外側をシール材７５、７５でシールしてある。
【０００４】
これら従来例の場合、框７２と複層ガラス７１の間に面クリアランスとエッジクリアランスが必要で、かつ、框７２には部材強度が必要なことより、框７２の見付け寸法Ｍ１、Ｍ２と見込み寸法Ｌ１、Ｌ２が大きくなり、価格が高くコスト面で制約が大きいという問題があった。
【０００５】
図１８の従来例による長期使用においてはグレージングチャンネル７３の収縮の可能性、図１９の従来例による長期使用においてはシール材７５のシール切れの可能性などの懸念があった。
【０００６】
框７２は複層ガラス７１のガラス面から突き出しており、フレームレスな感じがないのでガラス壁面感が不充分であり意匠性にも劣っていた。框７２にはアルミニウム合金などの金属材料が多く用いられており、しかも、その框７２の見付け寸法Ｍ１、Ｍ２と見込み寸法Ｌ１、Ｌ２が大きいために、かかる場合は断熱性の面でも充分ではなかった。
【０００７】
【発明が解決しようとする課題】
本発明は前述の課題を解決すべくなされたものであり、フレームレスな感じで意匠性に優れ、必要強度を保持し断熱性の面でも優れた低価格の複層ガラス障子と、それを用いた回転窓とスライド窓の提供を目的とする。
【０００８】
【課題を解決するための手段】
本発明は、複層ガラスの周辺に、複層ガラスのガラス板面より露出しない、外観としてフラットとなるような保持枠を取り付ける。これにより、保持枠は意匠性に優れた外観となる。また、保持枠の外部が樹脂材となるように表面部材としてのカバーを施せば、断熱性が向上して、ガラスエッジでの結露が減少する。
【０００９】
すなわち、本発明によれば、複層ガラスを保持枠に取り付けてなる複層ガラス障子において、複層ガラスは、短寸板ガラスと長寸板ガラスがその周辺部に配されているスペーサを介在して、かつ、スペーサの外部側に長寸板ガラスが短寸板ガラスに対して突出板ガラス部分を有するようにして配置されて空気層が形成され、前記保持枠は、短寸板ガラスに面一になるように形成された面保護部と、長寸板ガラスの端面に連なって形成される第１端面に接着されていて面保護部に垂直方向に形成されている端保護部と、複層ガラスを保持している保持部とを有してなり、前記保持部は、突出板ガラス部分の保持枠側である突出板ガラス部分内面に接着されている面保持部と、短寸板ガラスの端面に連なりスペーサの外部側に形成される第２端面に接着されていて前記面保持部に垂直方向に形成されている端保持部とを有し、前記保持枠は、金属製からなる裏部材と合成樹脂かならる表面部材とからなり、裏部材は、前記面保持部と、前記端保持部を有してなり、表面部材は、前記面保護部と、前記端保護部を有することを特徴とする複層ガラス障子が提供される。
【００１０】
前記保持部は、突出板ガラス部分の保持枠側である突出板ガラス部分内面に接着されている面保持部と、短寸板ガラスの端面に連なりスペーサの外部側に形成される第２端面に接着されていて面保持部に垂直方向に形成されている端保持部とを有してなることが好ましい。
【００１１】
前記保持枠は、裏部材と表面部材とからなり、裏部材は、前記面保持部と、前記端保持部と、係止部とを有してなり、表面部材は、前記面保護部と、前記端保護部と、裏部材の前記係止部の形状に対応した形状の係止部とを有していてもよい。
【００１２】
前記保持枠は、裏部材と表面部材とからなり、表面部材は裏部材に一体成形されていてもよい。
【００１３】
また、前記複層ガラス障子を開閉金物により外枠に取り付けてなる回転窓であって、開閉金物は、外枠側取付け部と、障子側取付け部と、外枠側取付け部及び障子側取付け部に対して回動可能なアーム部とを有してなり、外枠側取付け部は外枠に止着材で止着され、障子側取付け部は複層ガラス障子に止着材で止着されている回転窓が提供される。
【００１４】
前記保持枠は、裏部材と表面部材とからなり、裏部材は、前記面保持部と、前記端保持部と、前記面保護部と、溝形成部とを有してなり、表面部材は、前記端保護部と、裏部材の前記溝形成部の形状に対応した形状の溝形成部とを有していてもよい。
【００１５】
また、前記複層ガラス障子を窓枠に嵌めてなるスライド窓であって、窓枠が複層ガラス障子の溝形成部に対応する突起を有するスライド窓が提供される。
【００１６】
前記複層ガラスは、１枚の短寸板ガラス、続いて２枚の長寸板ガラスが、その周辺部に配されている各々のスペーサを介在して、かつ、短寸板ガラスと中央に配された長寸板ガラスとにより挟持されるスペーサの外側部に、長寸板ガラスが短寸板ガラスに対して突出板ガラス部分を有するようにして配置されて空気層が形成されていてもよい。
【００１７】
前記複層ガラスは、２枚の短寸板ガラス、続いて１枚の長寸板ガラスが、その周辺部に配されている各々のスペーサを介在して、かつ、長寸板ガラスと中央に配された短寸板ガラスとにより挟持されるスペーサの外側部に、長寸板ガラスが短寸板ガラスに対して突出板ガラス部分を有するようにして配置されて空気層が形成されていてもよい。
【００１８】
【発明の実施の形態】
まず、本発明の複層ガラス障子の概要を説明し、回転窓及びスライド窓については後述する。
【００１９】
「複層ガラス障子の概要」
図１、７、９、１２、１６及び１７は本発明の複層ガラス障子のそれぞれ第１、２、３、４、５及び６の実施例の要部断面図である。
【００２０】
これら実施例においては、複層ガラス１に、保持枠６ａ、６ｂ、６ｃ、６ｄ、６ｅ、６ｆが接着機能を有するシール材としての構造シール９ａ、９ｂにより取り付けてある。構造シール９ａと構造シール９ｂとの間にはバックアップ材１０が使われている。
【００２１】
複層ガラス１は、短寸板ガラス４ｂ、４ｄと長寸板ガラス４ａ、４ｃがその周辺部に配されているスペーサ２を介在して配置され空気層１０１が形成されていて、スペーサ２の側面と前記板ガラスの主表面がなす境界面にブチルゴムの１次シール（図示せず）が施され、スペーサ２のガラス板端縁側に２次シール３が施されていて、スペーサ２の外部側にある２次シール３の外側に、長寸板ガラス４ａ、４ｃが短寸板ガラス４ｂ、４ｄに対して突出板ガラス部分５、８５を有するように配置されている。
【００２２】
複層ガラス１は長寸板ガラス４ａ、４ｃにより突出板ガラス部分５、８５を有しているが、逆な表現をすれば、短寸板ガラス４ｂ、４ｄと長寸板ガラス４ａ、４ｃと、これらにより挟持されるスペーサ２によって、段状の切り欠き部を有するように形成されていて、この段状の切り欠き部に保持枠の主たる部分が構造シール９ａ、９ｂにより取り付けてある。
【００２３】
図２などに示すように、保持枠６ａ、６ｂ、６ｃ、６ｄ、６ｅ、６ｆは、短寸板ガラス４ｂ、４ｄに面一になるように形成された面保護部２７と、面保護部２７に垂直方向に形成されている端保護部２６と、複層ガラス１に構造シール９ａ、９ｂにより接着されている保持部２０とを有している。端保護部２６は、長寸板ガラス４ａ、４ｃの端面に連なって形成される第１端面１２に、構造シール９ａによって接着されている。
【００２４】
保持部２０は第１Ｌ字部をなしており、長寸板ガラス４ａ、４ｃのなす突出板ガラス部分５、８５の、保持枠側である突出板ガラス部分内面１３、８３に構造シール９ａにより接着されている面保持部２１と、短寸板ガラス４ｂ、４ｄの端面に連なって形成され、かつ、スペーサ２の外部側である２次シール３の外側に形成される第２端面１１に、構造シール９ｂにより接着されていて、面保持部２１に垂直方向に形成されている端保持部２２とを有している。
【００２５】
裏部材７ａ、７ｂ、７ｄ、７ｅ、７ｆ、及び保持枠６ｃには、アルミニウム合金などの金属製のものを、表面部材８ａ、８ｂ、８ｄ、８ｅ、８ｆには、塩化ビニル樹脂などの合成樹脂のものを使用できる。保持枠６ｂ、６ｄ、６ｅ、６ｆは、アルミニウム合金・塩化ビニル樹脂などによる一体成形のものである。
【００２６】
２次シール３及び構造シール９ａ、９ｂとしては、シリコーン系シーリング材やポリスルフィド系シーリング材を使用できる。スペーサ２の内部には乾燥剤が充填されている。
【００２７】
通常、フレームレスでガラス壁面感のする長寸板ガラス４ａ、４ｃ側が室外側として用いられ、短寸板ガラス４ｂ、４ｄ側が室内側として用いられる。
【００２８】
「複層ガラス障子の第１実施例」
図１、図２、図３により、本発明の複層ガラス障子の第１実施例を説明する。複層ガラス１が、保持枠６ａにより保持されて複層ガラス障子３０ａを形成している。複層ガラス１は、１枚の長寸板ガラス４ａと１枚の短寸板ガラス４ｂを用いて形成されている。以下、複層ガラス障子の第２、３、４の実施例において同様である。保持枠６ａは、裏部材７ａと表面部材８ａとよりなる。
【００２９】
裏部材７ａは、突出板ガラス部分内面１３に構造シール９ａにより接着されている面保持部２１と、第２端面１１に構造シール９ｂにより接着されていて面保持部２１に垂直方向に形成されている端保持部２２と、第２Ｌ字部２３と、係止部２４ａ、２４ｃとを有している。保持部２０と第２Ｌ字部２３とにより断面略ロ字部１０２が形成されている。符号１４は突出板ガラス部分外面である。
【００３０】
第２Ｌ字部２３は、面保持部２１に平行に形成されている立ち上がり部１０３と、端保持部２２に平行に形成されている水平部１０４とよりなる。
【００３１】
係止部２４ａは、互いに内向きに形成された鈎２５ａ、２５ｂを有し、鈎２５ａは、面保持部２１の端部に形成されていて、鈎２５ｂは、第２Ｌ字部２３のコーナー部から立ち上がるようにして形成されている。係止部２４ｃは、立ち上がり部１０３と、面保持部２１に平行に形成されている鈎２５ｃとよりなる。
【００３２】
表面部材８ａは、短寸板ガラス４ｂに面一になるように形成された面保護部２７と、長寸板ガラス４ａの端面に連なって形成される第１端面１２に接着されていて面保護部２７に垂直方向に形成されている端保護部２６と、裏部材７ａの係止部２４ａの形状に対応する形状の係止部２４ｄと、裏部材７ａの係止部２４ｃの形状に対応する形状の係止部２４ｆとを有している。
【００３３】
係止部２４ｄは、互いに外向きに形成された鈎２５ｅ、２５ｄを有し、これらは端保護部２６の内面側にほぼ垂直方向に形成されている。このため、係止部２４ａのなす鈎２５ａ、２５ｂの各々に係止部２４ｄのなす鈎２５ｄ、２５ｅが嵌合するようにして、表面部材８ａの端保護部２６が裏部材７ａに係止される。
係止部２４ｆは、面保護部２７と、面保護部２７に設けられた断面Ｌ字状の鈎２５ｆとを有する。このため、係止部２４ｃのなす鈎２５ｃと係止部２４ｆのなす鈎２５ｆが互いに内向きに咬み合いつつ、鈎２５ｃが面保護部２７と鈎２５ｆにより嵌合され、鈎２５ｆが立ち上がり部１０３と鈎２５ｃにより嵌合される。
【００３４】
面保護部２７は短寸板ガラス４ｂに面一になるように形成されているので、短寸板ガラス外面１５と保持枠６ａをなす表面部材８ａの外面は同一表面を形成している。
【００３５】
図３に示すように、短寸板ガラス４ｂの４辺に対して突出板ガラス部分を有する長寸板ガラス４ａを用いて複層ガラス１が形成され、複層ガラス１に保持枠６ａが取り付けられて複層ガラス障子３０ａが形成されている。
【００３６】
短寸板ガラス４ｂの２辺に対して突出板ガラス部分を有する長寸板ガラス４ａを用いて複層ガラスを形成することも可能であるが、その場合は、突出板ガラス部分を有しない辺は、図１８、１９で説明したように大きな見付け寸法や見込み寸法を有する枠材により複層ガラスを保持する必要があるので断熱性の低下をもたらし好ましくない。
【００３７】
「回転窓の第１実施例」
図４、図５、図６により、本発明の回転窓の第１実施例を説明する。複層ガラス障子３０ａが開閉金物３６により外枠３５に取り付けてある。開閉金物３６及び外枠３５は、アルミニウム合金などの金属製である。開閉金物３６は外枠側取付け部３７ａと、障子側取付け部３７ｂと、アーム部３８とよりなっている。
【００３８】
外枠側取付け部３７ａは、止着材としての固定ネジ３９により外枠３５に止着されており、障子側取付け部３７ｂは、止着材としての固定ネジ３９により複層ガラス障子３０ａに止着されている。
【００３９】
アーム部３８は、外枠側取付け部３７ａと障子側取付け部３７ｂとに対して回動可能になっているので、複層ガラス障子３０ａは、外枠３５に対して回動可能になっている。図４、５では省略したが図６に示すように、外枠３５には気密材４０が設けてあり、回転窓を閉じたときに気密性が向上するようになっている。
【００４０】
「複層ガラス障子の第２実施例」
図７、図８により、本発明の複層ガラス障子の第２実施例を説明する。複層ガラス１が、保持枠６ｂにより保持されて複層ガラス障子３０ｂを形成している。保持枠６ｂは裏部材７ｂと表面部材８ｂとが一体成形されてなるものである。
【００４１】
裏部材７ｂは、突出板ガラス部分内面１３に構造シール９ａにより接着されている面保持部２１と、第２端面１１に構造シール９ｂにより接着されていて面保持部２１に垂直方向に形成されている端保持部２２と、第２Ｌ字部４５とを有していて、断面略ロ字状をなしている。面保持部２１と端保持部２２とにより第１Ｌ字部をなす保持部２０が構成されている。
【００４２】
表面部材８ｂは、裏部材７ｂと一体成形されており、短寸板ガラス４ｂに面一になるように形成された面保護部２７と、長寸板ガラス４ａの端面に連なって形成される第１端面１２に接着されていて面保護部２７に垂直方向に形成される端保護部２６とを有している。面保護部２７及び端保護部２６は、第２Ｌ字部４５に接して一体成形されている。
【００４３】
「複層ガラス障子の例」
図９、図１０により、複層ガラス障子の例を説明する。複層ガラス１が、保持枠６ｃにより保持されて複層ガラス障子３０ｃを形成している。
【００４４】
保持枠６ｃは、突出板ガラス部分内面１３に構造シール９ａにより接着されている面保持部２１と、第２端面１１に構造シール９ｂにより接着されていて面保持部２１に垂直方向に形成されている端保持部２２と、短寸板ガラス４ｂに面一になるように形成された面保護部２７と、長寸板ガラス４ａの端面に連なって形成される第１端面１２に接着されていて面保護部２７に垂直方向に形成される端保護部２６とを有している。面保持部２１と端保持部２２とにより保持部２０が構成されていて、保持部２０と面保護部２７と端保護部２６とにより断面略６字状をなしている。
【００４５】
「回転窓の例」
図１１により、図９の複層ガラス障子を用いた回転窓を説明する。複層ガラス障子３０ｃが開閉金物３６により外枠３５に取り付けてある。開閉金物３６及び外枠３５は、アルミニウム合金などの金属製である。
【００４６】
「複層ガラス障子の例」
図１２、図１３により、複層ガラス障子の例を説明する。複層ガラス１が、保持枠６ｄにより保持されて複層ガラス障子３０ｄを形成している。保持枠６ｄは裏部材７ｄと表面部材８ｄとが一体成形されてなる。
【００４７】
裏部材７ｄは、突出板ガラス部分内面１３に構造シール９ａにより接着されている面保持部２１と、第２端面１１に構造シール９ｂにより接着されていて面保持部２１に垂直方向に形成されている端保持部２２と、端保持部２２の端部より立ち上がっている横Ｔ字部１０６とを有し、断面略６字状をなしている。
【００４８】
面保持部２１と端保持部２２とにより第１Ｌ字部をなす保持部２０が形成されている。横Ｔ字部１０６は、面保護部２７と、面保護部２７の略中央部から横方向に延びている支持部１０５とよりなり、横Ｔ字部１０６の下方に第２Ｌ字部５５が、上方に溝形成部５４が形成されている。保持部２０と第２Ｌ字部５５により断面略ロ字状をなしている。
【００４９】
なお、符号５１は複層ガラス障子の戸先に設けられた引手である。障子の上下部分や召し合わせ部分には引手５１は設けられていない。
【００５０】
表面部材８ｄは、裏部材７ｄと一体成形されており、第１端面１２に接着されている端保護部と、溝形成部５４の形状に対応した形状を有する溝形成部５３と、溝形成部５３の内側に形成された気密材保持部５２とを有している。溝形成部５３は断面形状が略横コ字状であり、その底部分は支持部１０５に接して、その外側立ち上がり部分は面保護部２７に接して形成されていて、その内側立ち上がり部分は構造シール９ａにより突出板ガラス部分内面１３に接着されている。気密材保持部５２には、気密材５０が取り付けられている。
【００５１】
「スライド窓の例」
図１４、図１５により、図１２の複層ガラス障子を用いたスライド窓を説明する。窓枠６０に複層ガラス障子３０ｄ、３０ｄが嵌め込まれている。複層ガラス障子３０ｄの溝形成部５３に対応する突起６１が窓枠６０に設けてある。符号６２は引き寄せ部材である。
【００５２】
「複層ガラス障子の第５実施例」
図１６により、本発明の複層ガラス障子の第５実施例を説明する。複層ガラス１が、保持枠６ｅにより保持されて複層ガラス障子３０ｅを形成している。
【００５３】
複層ガラス１は、１枚の短寸板ガラス４ｂ、続いて２枚の長寸板ガラス４ｃ、４ａが、その周辺部に配されている各々のスペーサ２、２を介在して、かつ、短寸板ガラス４ｂと中央に配された長寸板ガラス４ｃとにより挟持されるスペーサ２の外側部に、長寸板ガラス４ｃが短寸板ガラス４ｂに対して突出板ガラス部分８５を有するようにして配置されている。符号８３は突出板ガラス部分内面、符号８４は突出板ガラス部分外面であり、図１７においても同様である。
【００５４】
保持枠６ｅは、裏部材７ｅと表面部材８ｅとが一体成形されてなるが、その他は、「複層ガラス障子の第２実施例」で説明したことと同様である。
【００５５】
「複層ガラス障子の第６実施例」
図１７により、本発明の複層ガラス障子の第６実施例を説明する。複層ガラス１が、保持枠６ｆにより保持されて複層ガラス障子３０ｆを形成している。
【００５６】
複層ガラス１は、２枚の短寸板ガラス４ｂ、４ｄ、続いて１枚の長寸板ガラス４ａが、その周辺部に配されている各々のスペーサ２、２を介在して、かつ、長寸板ガラス４ａと中央に配された短寸板ガラス４ｄとにより挟持されるスペーサ２の外側部に、長寸板ガラス４ａが短寸板ガラス４ｄに対して突出板ガラス部分８５を有するようにして配置されている。
【００５７】
保持枠６ｆは、裏部材７ｆと表面部材８ｆとが一体成形されてなるが、その他は、「複層ガラス障子の第２実施例」で説明したことと同様である。
【００５８】
【発明の効果】
本発明の上記構成により、フレームレスでガラス壁面感があり、意匠性に優れ、障子に要求される所要の必要強度を保持し断熱性の面でも優れた低価格の複層ガラス障子を提供できる。また、保持枠がさほど大きくないので軽量化の効果も大きい。また、これを用いた回転窓とスライド窓についても、上記同様の効果を得る。
【図面の簡単な説明】
【図１】本発明の複層ガラス障子の第１実施例の要部断面図。
【図２】図１の実施例に用いた保持枠の説明図であって、（ａ）は保持枠の部品である裏部材の断面図、（ｂ）は保持枠の部品である表面部材の断面図、（ｃ）は裏部材と表面部材により組立てられた保持枠の断面図。
【図３】図１の複層ガラス障子の説明図であって、（ａ）は複層ガラス障子の正面図、（ｂ）は複層ガラス障子の右側面図、（ｃ）は複層ガラス障子の平面図。
【図４】図１の複層ガラス障子を用いた回転窓の斜視図。
【図５】図４の回転窓の構成を説明する分解斜視図。
【図６】図４の回転窓の要部断面図。
【図７】本発明の複層ガラス障子の第２実施例の要部断面図。
【図８】図７の実施例に用いた保持枠の説明図であって、（ａ）は保持枠の部品である裏部材の断面図、（ｂ）は保持枠の部品である表面部材の断面図、（ｃ）は裏部材と表面部材により組立てられた保持枠の断面図。
【図９】複層ガラス障子の例の要部断面図。
【図１０】図９の例に用いた保持枠の断面図。
【図１１】図９の複層ガラス障子を用いた回転窓の要部断面図。
【図１２】複層ガラス障子の例の要部断面図。
【図１３】図１２の実施例に用いた保持枠の説明図であって、（ａ）は保持枠の部品である裏部材の断面図、（ｂ）は保持枠の部品である表面部材の断面図、（ｃ）は裏部材と表面部材により組立てられた保持枠の断面図。
【図１４】図１２の複層ガラス障子を用いた両開きスライド窓の正面図。
【図１５】図１４の両開きスライド窓のＡ−Ａ線に沿った要部断面図。
【図１６】本発明の複層ガラス障子の第５実施例の要部断面図。
【図１７】本発明の複層ガラス障子の第６実施例の要部断面図。
【図１８】第１の従来例の複層ガラス障子の要部断面図。
【図１９】第２の従来例の複層ガラス障子の要部断面図。
【符号の説明】
１：複層ガラス
２：スペーサ
３：二次シール
４ａ、４ｃ：長寸板ガラス
４ｂ、４ｄ：短寸板ガラス
５、８５：突出板ガラス部分
６ａ、６ｂ、６ｃ、６ｄ、６ｅ、６ｆ：保持枠
７ａ、７ｂ、７ｄ、７ｅ、７ｆ：裏部材
８ａ、８ｂ、８ｄ、８ｅ、８ｆ：表面部材
１１：第２端面
１２：第１端面
２０：保持部
２１：面保持部
２２：端保持部
２６：端保護部
２７：面保護部
３５：開閉金物
３６：外枠
３７ａ：外枠側取付け部
３７ｂ：障子側取付け部
３８：アーム部
５３、５４：溝形成部
６０：窓枠
６１：突起
【図１】
0003637669.tif 000002
【図２】
0003637669.tif 000003
【図３】
0003637669.tif 000004
【図４】
0003637669.tif 000005
【図５】
0003637669.tif 000006
【図６】
0003637669.tif 000007
【図７】
0003637669.tif 000008
【図８】
0003637669.tif 000009
【図９】
0003637669.tif 000010
【図１０】
0003637669.tif 000011
【図１１】
0003637669.tif 000012
【図１２】
0003637669.tif 000013
【図１３】
0003637669.tif 000014
【図１４】
0003637669.tif 000015
【図１５】
0003637669.tif 000016
【図１６】
0003637669.tif 000017
【図１７】
0003637669.tif 000018
【図１８】
0003637669.tif 000019
【図１９】
0003637669.tif 000020